【手続補正書】
【提出日】平成21年10月22日(2009.10.22)
【手続補正１】
【補正対象書類名】特許請求の範囲
【補正対象項目名】全文
【補正方法】変更
【補正の内容】
【特許請求の範囲】
【請求項１】
コルクまたは木材基板を退色から保護する方法であって、木材基板は、ブナ、アルダー、メランチ、オーク、サクラ、チーク、ナット、レッドウッド、マホガニー、ユーカリ、アメリカブナ、ドリアン、レッドシダー、ライカート・ツリー、チャンパ、ラバーウッド、台湾アッシュ、クスノキ、ゼブラ・ウッド、マカ、ローズウッド、レインツリー、およびアイアンウッドよりなる群から選択され；
コーティングをコルクまたは木材基板に塗布することを含み、このコーティングが、
ａ）ヒドロキシベンゾフェノン、ヒドロキシフェニルベンゾトリアゾール、オキサニリド、およびヒドロキシフェニルトリアジン紫外線吸収剤、またはこれらの混合物よりなる群から選択される有機紫外線吸収剤と、
ｂ）透明な酸化鉄、透明な二酸化チタン、透明な酸化亜鉛、透明な酸化セリウム、およびカーボンブラック、またはこれらの混合物よりなる群から選択される無機紫外線吸収剤とを含有し、
有機紫外線吸収剤対無機紫外線吸収剤の重量比が１０００：１〜１０：１である、
方法。
【請求項２】
ヒドロキシベンゾフェノンが、式Ｉ： 
【化１】
2009514699.tif 000001
であり、２−ヒドロキシフェニルベンゾトリアゾールが、式IIａ、IIｂ、またはIIｃ： 
【化２】
2009514699.tif 000002
であり、２−ヒドロキシフェニルトリアジンが、式III： 
【化３】
2009514699.tif 000003
であり、そしてオキサニリドが、式（IV）： 
【化４】
2009514699.tif 000004
であり；
ここで、式（Ｉ）の化合物において、ｖは１〜３の整数であり、そしてｗは１または２であり、そして置換基Ｚは、互いに独立に、水素、ハロゲン、ヒドロキシル、または１〜１２個の炭素原子を有するアルコキシであり；
式（IIａ）の化合物において、
Ｒ1は、水素、１〜２４個の炭素原子を有するアルキル、アルキル部分において１〜４個の炭素原子を有するフェニルアルキル、５〜８個の炭素原子を有するシクロアルキル、または式： 
【化５】
2009514699.tif 000005
［式中、Ｒ4およびＲ5は、互いに独立に、いずれも１〜５個の炭素原子を有するアルキルであるか、あるいはＲ4は、基ＣnＨ2n+1-mと一緒になって、５〜１２個の炭素原子を有するシクロアルキル基を形成し、
ｍは、１または２であり、ｎは２〜２０の整数であり、そして
Ｍは、式−ＣＯＯＲ6の基（式中、Ｒ6は、水素、１〜１２個の炭素原子を有するアルキル、アルキル部分およびアルコキシ部分においていずれも１〜２０個の炭素原子を有するアルコキシアルキル、またはアルキル部分において１〜４個の炭素原子を有するフェニルアルキルである）である］の基であり、
Ｒ2は、水素、ハロゲン、１〜１８個の炭素原子を有するアルキル、およびアルキル部分において１〜４個の炭素原子を有するフェニルアルキルであり、そして
Ｒ3は、水素、塩素、アルキルもしくはアルコキシ（いずれも１〜４個の炭素原子を有する）、または−ＣＯＯＲ6（式中、Ｒ6は前記定義の通りである）であり、基Ｒ1およびＲ2の少なくとも一方は水素以外であり；
式（IIｂ）の化合物において、
Ｔは、水素または１〜６個の炭素原子を有するアルキルであり、
Ｔ1は、水素、塩素、またはアルキルもしくはアルコキシ（いずれも１〜４個の炭素原子を有する）であり、
ｎは、１または２であり、そして、
ｎが１である場合、
Ｔ2は、塩素または式−ＯＴ3もしくは
【化６】
2009514699.tif 000006
の基であり、そして
ｎが２である場合、Ｔ2は、式：
【化７】
2009514699.tif 000007
もしくは−Ｏ−Ｔ9−Ｏ−の基であり；
ここで、Ｔ3は、水素、１〜１８個の炭素原子を有しかつ非置換または１〜３個のヒドロキシル基でもしくは−ＯＣＯＴ6で置換されたアルキル、３〜１８個の炭素原子を有し、１回もしくは数回−Ｏ−もしくは−ＮＴ6−で中断されかつ非置換またはヒドロキシルもしくは−ＯＣＯＴ6で置換されたアルキル、５〜１２個の炭素原子を有しかつ非置換またはヒドロキシルおよび／または１〜４個の炭素原子を有するアルキルで置換されたシクロアルキル、２〜１８個の炭素原子を有しかつ非置換またはヒドロキシルで置換されたアルケニル、アルキル部分において１〜４個の炭素原子を有するフェニルアルキル、または式−ＣＨ2ＣＨ（ＯＨ）−Ｔ7もしくは
【化８】
2009514699.tif 000008
の基であり、
Ｔ4およびＴ5は、互いに独立に、水素、１〜１８個の炭素原子を有するアルキル、３〜１８個の炭素原子を有しかつ１回もしくは数回−Ｏ−もしくは−ＮＴ6−で中断されたアルキル、５〜１２個の炭素原子を有するシクロアルキル、フェニル、１〜４個の炭素原子を有するアルキルで置換されたフェニル、３〜８個の炭素原子を有するアルケニル、アルキル部分において１〜４個の炭素原子を有するフェニルアルキル、または２〜４個の炭素原子を有するヒドロキシアルキルであり、
Ｔ6は、水素、１〜１８個の炭素原子を有するアルキル、５〜１２個の炭素原子を有するシクロアルキル、３〜８個の炭素原子を有するアルケニル、フェニル、１〜４個の炭素原子を有するアルキルで置換されたフェニル、アルキル部分において１〜４個の炭素原子を有するフェニルアルキルであり、
Ｔ7は、水素、１〜１８個の炭素原子を有するアルキル、非置換もしくはヒドロキシルで置換されたフェニル、アルキル部分において１〜４個の炭素原子を有するフェニルアルキル、または−ＣＨ2ＯＴ8であり、
Ｔ8は、１〜１８個の炭素原子を有するアルキル、３〜８個の炭素原子を有するアルケニル、５〜１０個の炭素原子を有するシクロアルキル、フェニル、１〜４個の炭素原子を有するアルキルで置換されたフェニル、またはアルキル部分において１〜４個の炭素原子を有するフェニルアルキルであり、
Ｔ9は、２〜８個の炭素原子を有するアルキレン、４〜８個の炭素原子を有するアルケニレン、４個の炭素原子を有するアルキニレン、シクロヘキシレン、２〜８個の炭素原子を有しかつ１回もしくは数回−Ｏ−で中断されたアルキレン、または式−ＣＨ2ＣＨ（ＯＨ）ＣＨ2ＯＴ11ＯＣＨ2ＣＨ（ＯＨ）ＣＨ2−もしくは−ＣＨ2−Ｃ（ＣＨ2ＯＨ）2−ＣＨ2−の基であり、
Ｔ10は、２〜２０個の炭素原子を有しかつ１回もしくは数回−Ｏ−で中断されていることができるアルキレン、またはシクロヘキシレンであり、
Ｔ11は、２〜８個の炭素原子を有するアルキレン、２〜１８個の炭素原子を有しかつ１回もしくは数回−Ｏ−で中断されたアルキレン、１，３−シクロヘキシレン、１，４−シクロヘキシレン、１，３−フェニレン、または１，４−フェニレンであるか、あるいは
Ｔ10およびＴ6は、２個の窒素原子と一緒になって、ピペラジン環であり；
式（IIｃ）の化合物において、
Ｒ’2は、Ｃ1〜Ｃ12アルキルであり、そしてｋは１〜４の数であり；
式（III）の化合物において、
ｕは、１または２であり、ｒは１〜３の整数であり、置換基
Ｙ１は、互いに独立に、水素、ヒドロキシル、フェニル、またはハロゲン、ハロゲノメチル、１〜１２個の炭素原子を有するアルキル、１〜１８個の炭素原子を有するアルコキシ、基−ＣＯＯ（Ｃ1〜Ｃ18アルキル）で置換された１〜１８個の炭素原子を有するアルコキシであり；
ｕが１である場合、
Ｙ2は、１〜１８個の炭素原子を有するアルキル、非置換またはヒドロキシル、ハロゲン、１〜１８個の炭素原子を有するアルキルもしくはアルコキシで置換されたフェニル；
１〜１２個の炭素原子を有しかつ−ＣＯＯＨ、−ＣＯＯＹ8、−ＣＯＮＨ2、−ＣＯＮＨＹ9、−ＣＯＮＹ9Ｙ10、−ＮＨ2、−ＮＨＹ9、−ＮＹ9Ｙ10、−ＮＨＣＯＹ11、−ＣＮ、および／または−ＯＣＯＹ11で置換されたアルキル；
４〜２０個の炭素原子を有し、１個以上の酸素原子で中断されかつ非置換またはヒドロキシルもしくは１〜１２個の炭素原子を有するアルコキシで置換されたアルキル、３〜６個の炭素原子を有するアルケニル、グリシジル、非置換またはヒドロキシル、１〜４個の炭素原子を有するアルキル、および／もしくは−ＯＣＯＹ11で置換されたシクロヘキシル、アルキル部分において１〜５個の炭素原子を有しかつ非置換またはヒドロキシル、塩素、および／もしくはメチルで置換されたフェニルアルキル、−ＣＯＹ12、または−ＳＯ2Ｙ13であるか、あるいは、
ｕが２である場合、
Ｙ2は、２〜１６個の炭素原子を有するアルキレン、４〜１２個の炭素原子を有するアルケニレン、キシリレン、３〜２０個の炭素原子を有し、１個以上の−Ｏ−原子で中断されかつ／またはヒドロキシルで置換されたアルキレン、−ＣＨ2ＣＨ（ＯＨ）ＣＨ2−Ｏ−Ｙ15−ＯＣＨ2ＣＨ（ＯＨ）ＣＨ2、−ＣＯ−Ｙ16−ＣＯ−、−ＣＯ−ＮＨ−Ｙ17−ＮＨ−ＣＯ−、または−（ＣＨ2）m−ＣＯ2−Ｙ18−ＯＣＯ−（ＣＨ2）m（式中、ｍは、１、２、または３である）であり、
Ｙ8は、１〜１８個の炭素原子を有するアルキル、３〜１８個の炭素原子を有するアルケニル、３〜２０個の炭素原子を有し、１個以上の酸素もしくは硫黄原子または−ＮＴ6−で中断されかつ／またはヒドロキシルで置換されたアルキル、１〜４個の炭素原子を有しかつ−Ｐ（Ｏ）（ＯＹ14）2、−ＮＹ9Ｙ10または−ＯＣＯＹ11および／またはヒドロキシルで置換されたアルキル、３〜１８個の炭素原子を有するアルケニル、グリシジル、またはアルキル部分において１〜５個の炭素原子を有するフェニルアルキルであり、
Ｙ9およびＹ10は、互いに独立に、１〜１２個の炭素原子を有するアルキル、３〜１２個の炭素原子を有するアルコキシアルキル、４〜１６個の炭素原子を有するジアルキルアミノアルキル、または５〜１２個の炭素原子を有するシクロヘキシルであるか、あるいはＹ9およびＹ10は一緒になって、アルキレン、オキサアルキレン、またはアザアルキレン（いずれも３〜９個の炭素原子を有する）であり、
Ｙ11は、１〜１８個の炭素原子を有するアルキル、２〜１８個の炭素原子を有するアルケニル、またはフェニルであり、
Ｙ12は、１〜１８個の炭素原子を有するアルキル、２〜１８個の炭素原子を有するアルケニル、フェニル、１〜１２個の炭素原子を有するアルコキシ、フェノキシ、１〜１２個の炭素原子を有するアルキルアミノ、またはフェニルアミノであり、
Ｙ13は、１〜１８個の炭素原子を有するアルキル、フェニル、またはアルキル基の１〜８個の炭素原子を有するアルキルフェニルであり、
Ｙ14は、１〜１２個の炭素原子を有するアルキルまたはフェニルであり、
Ｙ15は、２〜１０個の炭素原子を有するアルキレン、フェニレンまたは基−フェニレン−Ｍ−フェニレン−（式中、Ｍは−Ｏ−、−Ｓ−、−ＳＯ2−、−ＣＨ2−、または−Ｃ（ＣＨ3）2−である）であり、
Ｙ16は、アルキレン、オキサアルキレン、もしくはチアアルキレン（いずれも２〜１０個の炭素原子を有する）、フェニレン、または２〜６個の炭素原子を有するアルケニレンであり、
Ｙ17は、２〜１０個の炭素原子を有するアルキレン、フェニレン、またはアルキル部分において１〜１１個の炭素原子を有するアルキルフェニレンであり、そして
Ｙ18は、２〜１０個の炭素原子を有するアルキレン、または４〜２０個の炭素原子を有しかつ１回もしくは数回酸素で中断されたアルキレンであり；
式（IV）の化合物において、
ｘは１〜３の整数であり、そして置換基Ｌは、互いに独立に、水素、アルキル、アルコキシ、もしくはアルキルチオ（いずれも１〜２２個の炭素原子を有する）、フェノキシ、またはフェニルチオである、
請求項１記載の方法。
【請求項３】
コーティングが、立体障害アミン光安定剤、ホスファイトもしくはホスホナイト、および立体障害フェノール酸化防止剤、またはこれらの混合物よりなる群から選択されるさらなる安定剤を含有する、請求項１記載の方法。
【請求項４】
コルクまたは木材基板が、
ｂｂ）ビス（１−オキシル−２，２，６，６−テトラメチルピペリジン−４−イル）セバケート；
ｃｃ）ビス（１−ヒドロキシ−２，２，６，６−テトラメチルピペリジン−４−イル）セバケート；
ｄｄ）１−ヒドロキシ−２，２，６，６−テトラメチル−４−アセトキシピペリジニウムシトレート；
ｅｅ）１−オキシル−２，２，６，６−テトラメチル−４−アセトアミドピペリジン；
ｆｆ）１−ヒドロキシ−２，２，６，６−テトラメチル−４−アセトアミドピペリジン；
ｇｇ）１−ヒドロキシ−２，２，６，６−テトラメチル−４−アセトアミドピペリジニウムビスルフェート；
ｈｈ）１−オキシル−２，２，６，６−テトラメチル−４−オキソ−ピペリジン；
ｉｉ）１−ヒドロキシ−２，２，６，６−テトラメチル−４−オキソ−ピペリジン；
ｊｊ）１−ヒドロキシ−２，２，６，６−テトラメチル−４−オキソ−ピペリジニウムアセテート；
ｋｋ）１−オキシル−２，２，６，６−テトラメチル−４−メトキシ−ピペリジン；
ｌｌ）１−ヒドロキシ−２，２，６，６−テトラメチル−４−メトキシ−ピペリジン；
ｍｍ）１−ヒドロキシル−２，２，６，６−テトラメチル−４−メトキシ−ピペリジニウムアセテート；
ｎｎ）１−オキシル−２，２，６，６−テトラメチル−４−アセトキシピペリジン；
ｏｏ）１−ヒドロキシ−２，２，６，６−テトラメチル−４−アセトキシピペリジン；
ｐｐ）１−オキシル−２，２，６，６−テトラメチル−４−プロポキシ−ピペリジン；
ｑｑ）１−ヒドロキシ−２，２，６，６−テトラメチル−４−プロポキシ−ピペリジニウムアセテート；
ｒｒ）１−ヒドロキシ−２，２，６，６−テトラメチル−４−プロポキシ−ピペリジン；
ｓｓ）１−オキシル−２，２，６，６−テトラメチル−４−（２−ヒドロキシ−４−オキサペントキシ）ピペリジン；
ｔｔ）１−ヒドロキシ−２，２，６，６−テトラメチル−４−（２−ヒドロキシ−４−オキサペントキシ）ピペリジニウムアセテート；
ｕｕ）１−オキシル−２，２，６，６−テトラメチル−４−ヒドロキシピペリジン；
ｖｖ）１−ヒドロキシ−２，２，６，６−テトラメチル−４−ヒドロキシピペリジン；
ｗｗ）１−ヒドロキシ−２，２，６，６−テトラメチル−４−ヒドロキシピペリジニウムクロリド；
ｘｘ）１−ヒドロキシ−２，２，６，６−テトラメチル−４−ヒドロキシピペリジニウムアセテート；
ｙｙ）１−ヒドロキシ−２，２，６，６−テトラメチル−４−ヒドロキシピペリジニウムビスルフェート；
ｚｚ）１−ヒドロキシ−２，２，６，６−テトラメチル−４−ヒドロキシピペリジニウムシトレート；
ａａａ）ビス（１−ヒドロキシ−２，２，６，６−テトラメチル−４−ヒドロキシピペリジニウム）シトレート；
ｂｂｂ）トリス（１−ヒドロキシ−２，２，６，６−テトラメチル−４−ヒドロキシピペリジニウム）シトレート；
ｂｂ）テトラ（１−ヒドロキシ−２，２，６，６−テトラメチル−４−ヒドロキシピペリジニウム）エチレンジアミンテトラアセテート；
（ｃｃ）テトラ（１−ヒドロキシ−２，２，６，６−テトラメチル−４−アセトアミドピペリジニウム）エチレンジアミンテトラアセテート；
（ｄｄ）テトラ（１−ヒドロキシ−２，２，６，６−テトラメチル−４−オキソピペリジニウム）エチレンジアミンテトラアセテート；
（ｅｅ）ペンタ（１−ヒドロキシ−２，２，６，６−テトラメチル−４−ヒドロキシピペリジニウム）ジエチレントリアミンペンタアセテート；
（ｆｆ）ペンタ（１−ヒドロキシ−２，２，６，６−テトラメチル−４−アセトアミドピペリジニウム）ジエチレントリアミンペンタアセテート；
（ｇｇ）ペンタ（１−ヒドロキシ−２，２，６，６−テトラメチル−４−オキソピペリジニウム）ジエチレントリアミンペンタアセテート；
（ｈｈ）トリ（１−ヒドロキシ−２，２，６，６−テトラメチル−４−ヒドロキシピペリジニウム）ニトリロトリアセテート；
（ｉｉ）トリ（１−ヒドロキシ−２，２，６，６−テトラメチル−４−アセトアミドピペリジニウム）ニトリロトリアセテート；
（ｊｊ）トリ（１−ヒドロキシ−２，２，６，６−テトラメチル−４−オキソピペリジニウム）ニトリロトリアセテート；
（ｋｋ）ペンタ（１−ヒドロキシ−２，２，６，６−テトラメチル−４−ヒドロキシピペリジニウム）ジエチレントリアミンペンタメチレンホスフォネート；
（ｌｌ）ペンタ（１−ヒドロキシ−２，２，６，６−テトラメチル−４−アセトアミドピペリジニウム）ジエチレントリアミンペンタメチレンホスフォネート；
（ｍｍ）ペンタ（１−ヒドロキシ−２，２，６，６−テトラメチル−４−オキソピペリジニウム）ジエチレントリアミンペンタメチレンホスフォネート、またはこれらの混合物の水溶液および／または有機溶液で前処理されている、請求項１記載の方法。